(57)【要約】搬送システム、例えば非鉄金属を含む材料の搬送システムは、搬送ベルト及びスタビライザを含む。搬送ベルトは搬送面を含み、搬送面上で材料を搬送するように適合されている。スタビライザは、コンベヤベルト上の材料に安定化力を加えて、材料が搬送の間に安定化されるように構成されている。コンベヤベルト上の材料を安定化する方法は、コンベヤベルトの搬送面で材料を受領すること、コンベヤベルトで、搬送速度で材料を搬送すること、及び材料の少なくとも一部の垂直移動が搬送速度で減衰及び／または最小化されるように、スタビライザで材料に安定化力を加えることを含む。【選択図】図１
2021532037.tif 000002
【特許請求の範囲】
【請求項１】
搬送面を含むコンベヤベルトであって、前記搬送面上で材料を搬送するように適合された前記コンベヤベルト、及び
前記コンベヤベルト上の前記材料に安定化力を加えるように構成されたスタビライザ
を含む搬送システム。
【請求項２】
第１のローラ、及び前記第１のローラの下流にある第２のローラをさらに含み、前記コンベヤベルトが、前記第１のローラ及び前記第２のローラ上で移動可能に支持され、前記第２のローラは前記搬送システムの端部にある、請求項１に記載の搬送システム。
【請求項３】
前記第２のローラは、前記コンベヤベルト上の前記材料に磁場を印加するように構成された渦電流セパレータローラを含む、請求項２に記載の搬送システム。
【請求項４】
前記スタビライザは、前記安定化力が前記第２のローラで前記材料に加えられるように、前記第２のローラに隣接して設けられる、請求項２に記載の搬送システム。
【請求項５】
前記スタビライザは、前記安定化力が前記第２のローラの上流の位置で前記材料に加えられるように、前記第２のローラの上流に設けられる、請求項２に記載の搬送システム。
【請求項６】
前記第１のローラ及び前記第２のローラは、前記コンベヤベルトを約１０ｍ／秒から約２０ｍ／秒の搬送速度で移動するように構成され、前記スタビライザが、前記材料が前記搬送速度で安定するように、前記コンベヤベルト上の前記材料に前記安定化力を加えるように構成される、請求項２に記載の搬送システム。
【請求項７】
前記スタビライザが、前記搬送面の上方に少なくとも１つの磁石を含み、前記少なくとも１つの磁石は、前記材料に前記安定化力として下向きの磁場を印加するように構成される、請求項１に記載の搬送システム。
【請求項８】
前記少なくとも１つの磁石は、前記安定化力を調整するように調整可能である、請求項７に記載の搬送システム。
【請求項９】
前記少なくとも１つの磁石が複数の磁石を含み、前記スタビライザが、前記複数の磁石の第１のサブセットを含む第１の領域と、前記複数の磁石の第２のサブセットを含む第２の領域とをさらに含み、前記第１のサブセットの前記磁石の少なくとも１つによって生成される前記磁場は、前記第２のサブセットの前記磁石の少なくとも１つによって生成される前記磁場とは異なる、請求項７に記載の搬送システム。
【請求項１０】
前記少なくとも１つの磁石は、複数の磁石を含み、前記スタビライザは、トリガ領域及び安定化領域をさらに含み、前記少なくとも１つの磁石は、前記安定化領域にある、請求項７に記載の搬送システム。
【請求項１１】
前記少なくとも１つの磁石が複数の磁石を含み、各磁石が独立して制御可能であり、前記搬送システムがさらに、
前記スタビライザの上流にあるセンサ、及び
コントローラ、
を備え、前記センサは、前記搬送面上の前記材料の少なくとも１つの非鉄金属片の位置を検出するように構成され、
前記コントローラは、前記搬送面上の前記位置に対応する前記複数の磁石のうちの少なくとも１つを作動させるように構成される、請求項７に記載の搬送システム。
【請求項１２】
前記スタビライザは、安定化領域に前記安定化力を加えるように構成され、前記安定化力は、前記安定化領域の上流部分における上流安定化力と、前記安定化領域の下流部分における下流安定化力とを含み、前記下流安定化力が前記上流安定化力とは異なる、請求項１に記載の搬送システム。
【請求項１３】
コントローラ、及び
前記搬送面上の前記材料の少なくとも１つの非鉄金属片の位置を検出するように構成されたセンサ
をさらに含み、
前記コントローラは、前記搬送面上の前記位置または前記コンベヤベルトの搬送速度の少なくとも１つに基づいて前記スタビライザを制御するように構成される、請求項１に記載の搬送システム。
【請求項１４】
コンベヤベルト上の材料を安定化する方法であって、前記コンベヤベルトの搬送面で前記材料を受領すること、
前記コンベヤベルトで、搬送速度で前記材料を搬送すること、及び
前記材料の少なくとも一部の垂直移動が前記搬送速度で減衰及び／または最小化されるように、スタビライザで前記材料に安定化力を加えること
を含む方法。
【請求項１５】
前記搬送速度が約１ｍ／秒から約２０ｍ／秒である、請求項１４に記載の方法。
【請求項１６】
前記材料の少なくとも一部が非鉄金属を含み、前記安定化力が前記非鉄金属に加えられる、請求項１４に記載の方法。
【請求項１７】
前記スタビライザが少なくとも１つの磁石を含み、前記安定化力が磁場を含む、請求項１４に記載の方法。
【請求項１８】
前記磁場の強さ、前記磁場の周波数、または前記磁場の方向のうちの少なくとも１つを制御することによって前記磁場を制御することをさらに含む、請求項１７に記載の方法。
【請求項１９】
前記安定化力を加える前に、前記搬送面上の前記材料の非鉄金属の位置を検出することをさらに含み、前記安定化力を加えることは、前記搬送面上の前記位置に前記安定化力を加えることを含む、請求項１４に記載の方法。
【請求項２０】
スタビライザが複数の磁石を含み、前記複数の磁石の第１のサブセットが第１の領域に配置され、前記複数の磁石の第２のサブセットが第２の領域に配置され、前記安定化力を加えることは、前記複数の磁石の前記第１のサブセットにより第１の磁場を印加することと、前記複数の磁石の前記第２のサブセットにより第２の磁場を印加することとを含み、前記第２の磁場は、前記第１の磁場とは異なる、請求項１４に記載の方法。
【発明の詳細な説明】
【技術分野】
【０００１】
本願は、２０１８年７月９日に出願され、「ＳＹＳＴＥＭＳ  ＡＮＤ  ＭＥＴＨＯＤＳ  ＦＯＲ  ＩＭＰＲＯＶＩＮＧ  ＴＨＥ  ＳＴＡＢＩＬＩＴＹ  ＯＦ  ＮＯＮ−ＦＥＲＲＯＵＳ  ＭＥＴＡＬＳ  ＯＮ  Ａ  ＣＯＮＶＥＹＯＲ」と題された米国仮出願第６２／６９５，２５４号の利益を主張し、その内容は、参照によりその全体が本明細書に組み込まれる。
【０００２】
本願は、コンベヤベルト、より具体的には、混合材料を運ぶように構成されたコンベヤベルトに関する。
【背景技術】
【０００３】
コンベヤベルトは、異なる種類の材料を搬送するために複数の産業で使用されている。一例として、コンベヤベルトは金属のリサイクルに使用される。金属のリサイクル中、コンベヤベルトは渦電流セパレータとともに使用でき、それは、強力な磁場を使用して、鉄金属が事前に除去された後、非鉄金属を廃棄物から分離する。渦電流セパレータは一般にコンベヤのエンドローラとして設けられ、コンベヤベルトは混合廃棄物を搬送し、コンベヤベルトの端部では、非鉄金属が重力に起因してベルトから落下する間に、非金属がベルトから前方に投げ出される。従来、渦電流セパレータを備えたコンベヤベルトは、ベルト上の材料が安定するように低速（例えば、約１〜３ｍ／秒）で実行される。実稼働環境でより高いスループットを実現するには、ベルトの速度を高速に（例えば、最大約１０〜２０ｍ／秒）しなければならない。しかし、このような高い速度では、ベルト上の材料は安定せず、ベルト上で跳ね返ったり動き回ったりする。このような動きは、渦電流セパレータによって生成される磁場の範囲外で破片が跳ね返る可能性があり、及び／または材料が積み重なり（すなわち、材料が単層ではない）、分離するのがより難しくなる可能性があるため、渦電流セパレータの分離効率を低下させる。
【発明の概要】
【０００４】
本特許で使用される「ｉｎｖｅｎｔｉｏｎ（発明）」、「ｔｈｅ  ｉｎｖｅｎｔｉｏｎ（発明）」、「ｔｈｉｓ  ｉｎｖｅｎｔｉｏｎ（本発明）」及び「ｔｈｅ  ｐｒｅｓｅｎｔ  ｉｎｖｅｎｔｉｏｎ（本発明）」という用語は、本特許のすべての主題及び以下の特許請求の範囲全体を広く指すことを意図している。これらの用語を含む言明は、本書に記載されている主題を制限したり、以下の特許請求の意味や範囲を制限したりしないことを理解するべきである。この特許の対象となる発明の実施形態は、この概要ではなく、以下の特許請求の範囲によって定義される。この概要は、本発明の様々な実施形態の高水準の概要であり、以下の詳細な説明のセクションでさらに説明される概念の一部を紹介する。この概要は、主張される主題の重要なまたは本質的な特徴を特定することを意図しておらず、主張された主題の範囲を決定するために単独で使用されることも意図されていない。主題は、本特許の明細書全体の適切な部分、一部またはすべての図面、及び各請求項を参照することによって理解されるべきである。
【０００５】
様々な例によれば、搬送システムは、コンベヤベルト及びスタビライザを含む。コンベヤベルトは搬送面を含み、コンベヤベルトは搬送面上で材料を搬送するように適合されている。スタビライザは、コンベヤベルト上の材料に安定化力を加えるように構成される。
【０００６】
いくつかの例では、搬送システムは、第１のローラと、第１のローラの下流にある第２のローラとを含む。特定の態様では、コンベヤベルトは、第１のローラ及び第２のローラ上で移動可能に支持され、第２のローラは搬送システムの端部にある。様々な場合において、第２のローラは、コンベヤベルト上の材料に磁場を印加するように構成された渦電流セパレータローラを含む。いくつかの場合には、スタビライザは、安定化力が第２のローラで材料に加えられるように、第２のローラに隣接して設けられる。特定の例によれば、スタビライザは、安定化力が第２のローラの上流で材料に加えられるように、第２のローラの上流に設けられる。様々な例において、第１のローラ及び第２のローラは、コンベヤベルトを約１０ｍ／秒から約２０ｍ／秒の搬送速度で移動するように構成され、スタビライザが、材料が搬送速度で安定するように、コンベヤベルト上の材料に安定化力を加えるように構成される。
【０００７】
特定の場合には、スタビライザは、安定化力を材料の非鉄金属に加えるように構成される。いくつかの態様において、スタビライザは、搬送面の上方に少なくとも１つの磁石を含み、少なくとも１つの磁石は、材料に安定化力として下向きの磁場を印加するように構成される。様々な例において、少なくとも１つの磁石は永久磁石である。
【０００８】
特定の態様では、少なくとも１つの磁石は電磁石である。いくつかの態様において、電磁石はＡＣ電磁石である。様々な場合において、電磁石が調整可能で、下向きの磁場が調整可能であるようにする。様々な例によれば、磁場の強度、磁場の周波数、または搬送面に対する電磁石の中心軸の角度のうちの少なくとも１つが調整可能である。いくつかの場合には、少なくとも１つの磁石が複数の磁石を含む。様々な場合において、スタビライザが、複数の磁石の第１のサブセットを有する第１の領域と、複数の磁石の第２のサブセットを有する第２の領域とをさらに含み、第１のサブセットの磁石の少なくとも１つによって生成される磁場は、第２のサブセットの磁石の少なくとも１つによって生成される磁場とは異なる。いくつかの例によれば、スタビライザは、トリガ領域及び安定化領域を含み、少なくとも１つの磁石が安定化領域にある。様々な場合において、各磁石は独立して制御可能である。
【０００９】
いくつかの態様では、搬送システムは、スタビライザの上流にあるセンサ及びコントローラを含む。様々な場合において、センサは、搬送面上の材料の少なくとも１つの非鉄金属片の位置を検出するように構成され、コントローラは、搬送面上の位置に対応する複数の磁石のうちの少なくとも１つを作動させるように構成される。
【００１０】
様々な態様によれば、スタビライザは、安定化領域に安定化力を加えるように構成され、安定化力は、安定化領域の上流部分における上流安定化力と、安定化の下流部分における下流安定化力とを含み、下流安定化力は上流安定化力とは異なる。特定の場合には、下流安定化力が上流安定化力よりも大きい。
【００１１】
様々な例において、搬送システムは、搬送ベルトが少なくとも１つの磁石と磁束ダイレクタとの間を通るように、搬送面の下方に磁束ダイレクタを含む。いくつかの例では、搬送システムは、コンベヤベルトの搬送速度に基づいてスタビライザを制御するように構成されるコントローラを含む。様々な態様において、搬送システムは、搬送面上の材料の少なくとも１つの非鉄金属片の位置を検出するように構成されたセンサを含み、コントローラは、搬送面上の位置に基づいてスタビライザを制御するように構成されている。
【００１２】
特定の例では、スタビライザは、所定の気流レベルで搬送面に所定の速度で気流をもたらすように構成された少なくとも１つの気流発生器を備える。
【００１３】
いくつかの場合には、スタビライザは、コンベヤベルトの搬送面の下方に少なくとも１つの電磁石、及びコンベヤベルトと少なくとも１つの電磁石との間の銅板を含む。特定の態様では、少なくとも１つの電磁石は、銅板の上部と材料の非鉄片との間に引力が生じるように、銅板に一次磁場を印加するように構成される。
【００１４】
様々な例において、スタビライザは、安定化力をコンベヤベルト上の材料の非鉄金属に加えるように構成され、非鉄金属は、搬送の間に搬送面に対して非鉄金属の位置が維持されるよう安定化される。
【００１５】
特定の例によれば、コンベヤベルト上の材料を安定化する方法は、コンベヤベルトの搬送面で材料を受領すること、コンベヤベルトで、搬送速度で材料を搬送すること、及び材料の少なくとも一部の垂直移動（例えば、跳ね返り）が減衰及び／または最小化されるように、スタビライザで材料に安定化力を加えることを含む。特定の場合には、搬送面に対する材料の少なくとも一部の位置が搬送速度で維持される。
【００１６】
いくつかの例では、搬送速度は、約１ｍ／秒から約２０ｍ／秒である。特定の場合には、搬送速度は約１０ｍ／秒から約２０ｍ／秒である。様々な例において、材料の少なくとも一部は非鉄金属を含み、安定化力は非鉄金属に加えられる。
【００１７】
いくつかの態様において、スタビライザは、少なくとも１つの磁石を含み、安定化力は、磁場を含む。様々な態様によれば、少なくとも１つの磁石は電磁石を含む。様々な例において、この方法は、磁場の強さ、磁場の周波数、または磁場の方向のうちの少なくとも１つを制御することによって磁場を制御することを含む。
【００１８】
特定の例では、この方法は、安定化力を加える前に、搬送面上の材料の非鉄金属の位置を検出することを含む。いくつかの場合には、安定化力を加えることは、搬送面上の位置に安定化力を加えることを含む。様々な態様において、スタビライザは複数の磁石を含み、磁石の第１のサブセットが第１の領域に配置され、磁石の第２のサブセットが第２の領域に配置され、安定化力を加えることは、磁石の第１のサブセットにより第１の磁場を印加することと、磁石の第２のサブセットにより第２の磁場を印加することとを含み、第２の磁場は、第１の磁場とは異なる。
【００１９】
本開示に記載される様々な実施形態は、追加のシステム、方法、特徴、及び利点を含むことができ、これらは必ずしも本明細書に明示的に開示されることが可能ではないが、以下の詳細な説明や添付の図面を検討するやいなや、当業者に明白になるものである。そのようなすべてのシステム、方法、特徴、及び利点は、本開示に含まれ、付随する特許請求の範囲によって保護されることが意図されている。
【００２０】
以下の図の特徴及び構成要素は、本開示の全体的な原則を強調するために示されている。全図面の対応する特徴や構成要素は、一貫性と明確さのために、参照文字を一致させることによって指定されていることがある。
【図面の簡単な説明】
【００２１】
【図１】現開示の態様による搬送システムの側面図である。
【図２】現開示の態様による別の搬送システムの側面図である。
【図３】図２の搬送システムの上面図である。
【図４】現開示の態様による別の搬送システムの側面図である。
【図５】図４の搬送システムの上面図である。
【図６】現開示の態様による別の搬送システムの側面図である。
【図７】図６の搬送システムのスタビライザの概略図である。
【図８】現開示の態様による別の搬送システムの側面図である。
【図９】図８の搬送システムの上面図である。
【図１０】現開示の態様による別の搬送システムの側面図である。
【図１１】現開示の態様による別の搬送システムの側面図である。
【図１２】現開示の態様による別の搬送システムの側面図である。
【図１３】現開示の態様による別の搬送システムの側面図である。
【図１４】現開示の態様による別の搬送システムの側面図である。
【発明を実施するための形態】
【００２２】
本発明の実施形態の主題は、法定要件を満たすために特異的に本明細書に記載されているが、この説明は、必ずしも特許請求の範囲を限定することを意図するものではない。特許請求される主題は、他の方法で具体化され得、異なる要素またはステップを含み得、他の既存または将来の技術と組み合わせて使用され得る。この説明は、個々のステップの順序または要素の配置が明示的に記述されている場合を除き、様々なステップまたは要素間のいずれかの特定の順序または配置を意味するものとして解釈されるべきではない。とりわけ、「ｕｐ（上）」、「ｄｏｗｎ（下）」、「ｔｏｐ（上）」、「ｂｏｔｔｏｍ（下）」、「ｌｅｆｔ（左）」、「ｒｉｇｈｔ（右）」、「ｆｒｏｎｔ（前）」、及び「ｂａｃｋ（後）」などの方向の言及は、図示された方向を指すことを意図しており、構成要素と方向が参照している１つ以上の図に図示または記載されている。
【００２３】
図１は、金属材料１０２及び非金属材料１０４を含む混合材料を含むがこれらに限定されない、材料を搬送するための例示的なコンベヤシステム１００を示す。この例では、コンベヤシステム１００は、金属材料１０２が、非金属材料１０４から分断することができるようにする金属リサイクルのためのセパレータシステムである。しかし、コンベヤシステム１００は、所望であれば他の様々な設定または環境で使用できることが理解されよう。
【００２４】
図１に示されるように、コンベヤシステム１００は、コンベヤベルト１０６及びスタビライザ１０８を含む。コンベヤベルト１０６は、搬送面１０７を有し、第１のローラ１１０及び第２のローラ１１２上で移動可能に支持される。様々な例において、第１のローラ１１０は、コンベヤベルト１０６が矢印１１６によって示されている方向に移動するように駆動システム１１４によって駆動される。第２のローラ１１２は、第１のローラ１１０の下流にあるエンドローラまたはアイドラーローラである。他の例では、第２のローラ１１２は、駆動システム１１４によって駆動されて、コンベヤベルト１０６を動かすことができる。様々な例において、第２のローラ１１２は、金属材料１２８を非金属材料１０４から分離する渦電流セパレータ（「ＥＣＳ」）ローラである。様々な態様において、第２のローラ１１２は、アイドラプーリ、及び磁気ロータは、別個のベアリングのペアで回転し、渦電流を誘導するために必要な磁場を生成するために、はるかに高いＲＰＭで駆動される。そのような例では、第２のローラ１１２は、コンベヤベルト１０６上の材料に磁場を印加し、これにより、金属材料１０２がコンベヤベルト１０６から前方に投げ出され、一方で非金属材料１０４が重力に起因してコンベヤベルト１０６から落下する。特定の例では、第２のローラ１１２は、第１のローラ１１０の下流にある。図示されていないが、任意の数の中間ローラを、第１のローラ１１０と第２のローラ１１２との間に、及び／または第１のローラ１１０の上流に、コンベヤシステム１００の所望の長さに応じて設けることができる。１つの非限定的な例として、コンベヤシステム１００は３つのローラを有し得る。さらに、ローラを直線的に整列させる必要がないことが理解されよう。例えば、いくつかの場合には、システムは、垂直に整列された２つのローラを含み得る（例えば、別のローラが第２のローラ１１２と垂直に整列されている）。
【００２５】
様々な例において、コンベヤベルト１０６は、搬送速度でローラ１１０、１１２上を移動する。いくつかの例では、搬送速度（すなわち、ベルト１０６の速度）は、低い搬送速度である。そのような例では、低い搬送速度は、約１ｍ／秒から約３ｍ／秒、例えば、約１ｍ／秒、約２ｍ／秒、及び／または約３ｍ／秒である。低い搬送速度では、コンベヤベルト１０６上の材料は比較的安定しており、これは、コンベヤベルト１０６に対する各材料片の位置が概して維持され、搬送されるとき材料がコンベヤベルト１０６に対して移動しないことを意味する。言い換えれば、材料の少なくとも一部の垂直方向の移動が減衰及び／または最小化される。
【００２６】
例えば生産する環境でより高いスループットを成し遂げるための他の例では、搬送速度は高い搬送速度である。特定の場合には、高い搬送速度は、約３ｍ／秒から約２０ｍ／秒であり、例えば、約３ｍ／秒、約４ｍ／秒、約５ｍ／秒、約６ｍ／秒、約７ｍ／秒、約８ｍ／秒、約９ｍ／秒、約１０ｍ／秒、約１１ｍ／秒、約１２ｍ／秒、約１３ｍ／秒、約１４ｍ／秒、約１５ｍ／秒、約１６ｍ／秒、約１７ｍ／秒、約１８ｍ／秒、約１９ｍ／秒、及び／または約２０ｍ／秒である。他の例では、高い搬送速度は２０ｍ／秒を超える場合がある。高い搬送速度では、コンベヤベルト１０６上の材料は安定しておらず、材料が搬送されるときにコンベヤベルト１０６上で跳ね返る、さもなければ動き回る可能性がある。コンベヤシステム１００がセパレータシステムの構成要素であり、ＥＣＳローラ１１２を含む場合、そのような跳ね返り及び動きは、システムの分離の効率を低下させる。例えば、高い搬送速度では、非鉄金属などの金属材料１０２は、非金属材料１０４から分離されないように、ＥＣＳローラ１１２によって生成される磁場の範囲外に跳ね返るか、移動する可能性がある。さらに、またはあるいは、高い搬送速度では、材料は、それがＥＣＳローラ１１２に単層として提示されないようにそれ自体の上に積み重なることができ、これは、金属材料１０２を非金属材料１０４から分離する磁場の有効性を低下させる。
【００２７】
コンベヤシステム１００のスタビライザ１０８は、材料の少なくとも一部が高い搬送速度で、コンベヤベルト１０６上で安定化されるように、コンベヤベルト１０６上の材料に安定化力（図１の矢印１１８によって表されている）を加えるように構成される。いくつかの任意選択の例では、スタビライザ１０８はまた、他の例では必要ではないが、低い搬送速度で材料に安定化力１１８を加えることができる。以下で詳細に説明するように、いくつかの場合には、スタビライザ１０８は、搬送面１０７の上方に１つまたは複数の磁石を含み、安定化力１１８は磁場である。他の例では、スタビライザ１０８は、搬送面１０７の下方に銅板を備えた１つまたは複数の磁石を含み、安定化力１１８は磁場である。他の任意選択の例では、スタビライザ１０８は、様々な所定の速度で気流をもたらすように構成された少なくとも１つの気流発生器であり、安定化力１１８は気流である。スタビライザのタイプの様々な組み合わせも利用することができる。１つの非限定的な例として、スタビライザは、磁石及び気流発生器の両方を含み得る。他の様々な適切なスタビライザ及び安定化力を利用することができる。
【００２８】
図１に示されるように、いくつかの例では、搬送システム１００がセパレータシステムである場合、スタビライザ１０８は、ＥＣＳローラ１１２からの磁場が材料に印加される前にコンベヤベルト１０６上の材料に安定化力１１８が加えられるように、ＥＣＳローラ１１２の上流にある。そのような例では、金属材料１０２は、スタビライザ１０８によってコンベヤベルト１０６上で安定化させることができ、その結果、金属材料１０２は、ＥＣＳローラ１１２によって非金属材料から効果的に分離され得る。他の例では、図１０に示されるように、スタビライザ１０８は、ＥＣＳローラ１１２と実質的に整列及び／または隣接することができる。そのような例では、安定化力１１８は、ＥＣＳローラ１１２が、材料を分類するために磁場を印加する一方で、コンベヤベルト１０６上の材料（例えば、金属材料１０２）を安定させることができる。他の例では、スタビライザ１０８は、所望であれば、ＥＣＳローラ１１２及び／またはコンベヤベルト１０６に対して、他の様々な場所に設けることができる。いくつかの例では、搬送システム１００は、２つ以上のスタビライザ１０８を含む。
【００２９】
図１を参照すると、いくつかの例では、スタビライザ１０８は電磁石１２０である。電磁石は一時的な磁石で、つまり、電磁石に電流が流れているときのみ磁気が保持される。特定の場合には、電磁石はＡＣ電磁石である。電磁石１２０が例示されているが、他の例では、回転または移動する永久磁石などの他のタイプの永久磁石または一時磁石を使用して、可動の磁場をもたらすことができる（例えば、図４及び図５を参照）。いくつかの例では、電磁石１２０は電磁コイルである。１つの電磁石１２０が図１に例示されているが、電磁石（または他のタイプの磁石または磁石の組み合わせ）の数は、現開示を制限するとみなされるべきではない。例えば、図２及び図３を参照して以下で詳細に説明するように、スタビライザ１０８は、複数の電磁石、永久磁石、またはそれらの様々な組み合わせを含み得る。いくつかの例では、電磁石１２０は搬送面１０７の上方にあり、電磁石の磁力は安定化力１１８である。
【００３０】
電磁石１２０は、電磁石１２０に電流を供給する電源に接続されている。電流が電磁石１２０に供給されている間、電磁石１２０は、安定化力１１８として磁場を生成する。コンベヤシステム１００はセパレータシステムであり、電磁石１２０からの安定化力１１８は、搬送面１０７上の金属材料１０２を安定化させることができる。電磁石への電流が停止すると、安定化力１１８が消失する。電磁石１２０をスタビライザ１０８として使用することにより、安定化力１１８を迅速に変更または調整して、コンベヤベルト１０６上の金属材料１０２の安定性を変更または調整することができる。安定化力１１８を調整するための例示的な技術を個別にまたは必要に応じて任意の組み合わせで使用できる。そのような技術は、コントローラ２２２（図２を参照）によって、または操作者によって手動で実行され得る。
【００３１】
いくつかの例では、電磁石１２０からの磁場（したがって、安定化力１１８）は、電磁石１２０に供給される磁束を制御することによって制御される。電流の量を制御することは、電磁石１２０のコイルの設計を制御または調整すること、磁束の周波数を増減すること、安定化力１１８を増加させるべく電磁石１２０に提供される磁束を増加させること、及び／または安定化力を低下させるべく電磁石１２０に供給される磁束を減少させることを含むが、これに限定されない。
【００３２】
いくつかの例では、安定化力１１８を調整することは、電流が電源から電磁石１２０に供給される持続時間である電流供給時間を制御することを含む。安定化力１１８は、電磁石１２０に電流が供給されている間のみ存在するので、電流供給時間を調整することは、安定化力１１８が金属材料１０２に加えられる時間を調整する。いくつかの例では、電流供給時間を制御することは、安定化力１１８が金属材料１０２に加えられる時間の長さを減少させるために電流供給時間を減少させることを含む。他の例では、電流供給時間を制御することは、安定化力１１８が金属材料１０２に加えられる時間を増やすために電流供給時間を増やすことを含む。
【００３３】
特定の例では、安定化力１１８を調整することは、電磁石１２０に供給される電流をパルス化させることを含む。電流をパルス化させることは、規則的または不規則なパターンで供給される電流の量を交互にすること、規則的または不規則なパターンで電流が作動される、つまりオンにすることと、作動停止する、つまり「オフ」にすることの周期、または電流の少なくとも１つの側面を調整する他の望ましい規則的または不規則なパターンを交互に繰り返すことを含み得る。様々な例において、電流をパルス化することは、金属材料１０２上に安定化力１１８の様々なパターンを提供し得る。いくつかの例において、安定化力１１８を調整することは、安定化力１１８の振動を含む。様々な場合において、安定化力１１８を調整することは、磁場を逆転することを含む。いくつかの態様において、磁場を逆転させることは、電流の流れの方向を変えることを含む。他の例では、安定化力１１８を調整することは、電磁石１２０とコンベヤベルト１０６との間の垂直の距離を制御することを含む。特定の例では、安定化力１１８を調整することは、電搬送面１０７に対する磁石１２０の角度配向（したがって、磁場の角度）を制御することを含む。様々な例において、安定化力１１８を調整することは、電磁石１２０の形状または角度を制御することを含む。
【００３４】
図２及び図３は、搬送システム２００の別の例を示す。搬送システム２００は、スタビライザ１０８が複数の電磁石２２０Ａ〜Ｍを含み、各電磁石２２０Ａ〜Ｍが安定化力１１８を加えるように構成されることを除いて、搬送システム１００と実質的に類似している。複数の電磁石２２０を備えたスタビライザ１０８（または任意の他のタイプのスタビライザ）は、安定化領域２２６（図３を参照）に配置され、それは安定化力１１８がコンベヤベルト１０６の上の材料に加えられる領域である。いくつかの例では、安定化領域２２６は、コンベヤベルト１０６の一部に沿って延在し、他の例では、安定化領域２２６は、材料を搬送するコンベヤベルト１０６の全長に沿って延在する。
【００３５】
各電磁石２２０Ａ〜Ｍは、電磁石１２０と実質的に類似している場合がある。電磁石の数及び／または配置は、現開示を制限するとみなされるべきではない。図２に示されるように、様々な例において、各電磁石は、コントローラ２２２に通信可能に接続されている。特定の場合において、コントローラ２２２は、他の例では必要ではないが、各電磁石２２０を独立して制御する。特定の例では、コントローラ２２２は、コンベヤベルト１０６の搬送速度、搬送面１０７上の金属材料１０２（または他の標的材料）の位置または場所、または他の様々な要因に基づいて、各電磁石２２０を制御することができる。
【００３６】
いくつかの態様において、スタビライザ１０８は、１つの電磁石（例えば、電磁石２２０Ａ）からの安定化力１１８が、別の電磁石（例えば、電磁石２２０Ｂ）の安定化力１１８とは異なるように制御される。１つの非限定的な例として、電磁石２２０は、上流の電磁石からの安定化力１１８の強度が、下流の電磁石からの安定化力１１８の強度よりも小さくなるように制御される。言い換えれば、いくつかの非限定的な例では、金属材料１０２に対する安定化力１１８の強度は、下流方向に上昇する。そのような例では、傾斜安定化力１１８は、金属材料１０２がスタビライザ１０８の下に入り、安定化力１１８を介して金属材料１０２のより制御された安定化をもたらすことを可能にし得る。様々な例において、スタビライザ１０８は、複数の電磁石の第１のサブセットを含むコンベヤベルト１０６に沿った第１の領域、及び複数の電磁石の第２のサブセットを含むコンベヤベルト１０６に沿った第２の領域を含む。いくつかの任意選択の例では、第１の領域の電磁石の少なくとも１つから得る安定化力１１８は、第２の領域の電磁石の少なくとも１つから得る安定化力１１８とは異なる。他の例では、電磁石２２０を制御することによって、安定化力１１８の様々なパターンを金属材料１０２に加えることができる。
【００３７】
図２に示されるように、いくつかの任意選択の例では、磁束ダイレクタ２２４は、金属材料１０２に対する安定化力１１８の有効性を高めるために、含まれ得る。磁束ダイレクタ２２４は、積層鋼板を含むがこれらに限定されない様々な適切な材料であり得る。
【００３８】
図４及び図５は、搬送システム４００の別の例を示す。搬送システム４００は、搬送システム４００のスタビライザ１０８が、永久磁石であり得る回転磁石４２０であることを除いて、搬送システム１００及び２００と実質的に類似している。１つの回転磁石４２０が示されているが、任意の数の回転磁石４２０を利用することができる。回転磁石４２０は、順方向または逆方向（図４の矢印４３０で示される）に回転することにより、コンベヤベルト上の材料に安定化力１１８として磁場を与える。回転磁石４２０は、安定化力１１８を制御するよう順方向または逆方向に選択的に回転可能である。安定化力１１８はまた、回転磁石４２０をコンベヤベルト１０６に対して垂直に調整することで制御することができ、その結果、回転磁石４２０及びコンベヤベルト１０６間の距離が調整される。いくつかの例では、安定化力１１８は、回転磁石４２０の回転速度を制御することによって制御することができる。搬送システム４００はまた、２つの磁束ダイレクタ２２４を含む。１つの磁束ダイレクタ２２４は、任意選択でベルトの下に設けられ、別の磁束ダイレクタ２２４はスタビライザ１０８に隣接し、その下流にあり、そのため水平方向の力が材料に加えられず、磁束がロータに戻る経路を有するようになる。磁束ダイレクタ２２４の数及び／または位置は、現開示を制限するとみなされるべきではない。
【００３９】
図６及び図７は、搬送システム６００の別の例を示す。搬送システム６００は、スタビライザ１０８が、頂点６３０を伴い角度の付いた形状を有する電磁石６２０（コイルと示される）を含むことを除いて、搬送システム１００、２００、及び４００と実質的に類似している。様々な例において、頂点６３０での磁場の強さは、電磁石６２０の他の部分での磁場の強さよりも大きい。そのような例では、電磁石６２０は、上流端６３２から頂点６３０へ上に傾斜され、頂点６３０から下流端６３４へ下に傾斜する安定化力１１８をもたらす。いくつかの例では、そのような傾斜したプロファイルは、スタビライザ１０８がコンベヤ１０６上の金属材料１０２を徐々に安定化し（上に傾斜した部分の間）、次に安定化力１１８を徐々に減少させて材料をコンベヤベルト１０６上にかけ続けるようにすることができる。いくつかの態様において、そのような傾斜したプロファイルは、スタビライザ１０８について改善された安定化をもたらし得る。他の例では、安定化力１１８のための様々な他のプロファイルまたはパターンを利用することができる。
【００４０】
図８及び図９は、搬送システム２００と実質的に類似している搬送システム８００の別の例を示している。搬送システム２００と比較して、搬送システム８００のスタビライザ１０８は、搬送面１０７上の材料（例えば、金属材料１０２）の位置を検出するためのセンサ８３６をさらに含む。いくつかの例では、センサ８３６は、安定化領域２２６の上流にある感知領域８３８（図９を参照）を定める。他の例では、感知領域８３８は、部分的または完全に安定化領域２２６と重なり得る。様々な例では、コントローラ２２２は、センサ８３６によって検出された金属材料１０２の位置に基づいて、電磁石２２０の１つまたは複数を選択的に作動及び／または制御するように構成される。図９における非限定的な一例として、コントローラ２２２は、センサ８３６によって検出された金属材料１０２の位置に基づいて、電磁石２２０Ｄ及び２２０Ｋ（「Ｘ」で示される）を作動させておき、安定化力１１８を加えている。特定の例では、電磁石２２０（または一般にスタビライザ１０８）の１つまたは複数は、センサ８３６がコンベヤベルト１０６上の金属材料１０２などの標的材料を検出するまで、非作動状態にあり得る。そのような例では、感知領域８３８は、スタビライザ１０８のトリガ領域であり得る。
【００４１】
図１０は、スタビライザ１０８がＥＣＳローラ１１２と位置合わせされていることを除いて、搬送システム１００と実質的に類似している搬送システム１０００の別の例を示す。
【００４２】
図１１は、スタビライザ１０８が搬送面１０７の下方に電磁石１２０を含み、銅板１１４０が電磁石１２０と搬送面１０７との間に設けられていることを除いて、搬送システム１００と実質的に類似している搬送システム１１００の別の例を示す。このような例では、電磁石１２０の磁場は、銅板１１４０と搬送面１０７の材料との両方に作用する。銅板１１４０に作用する磁場は、銅板１１４０の上部と搬送面１０７上の金属材料１０２との間の安定化力１１８として引力を発生し、金属材料１０２が安定化されるようにする。
【００４３】
図１２は、スタビライザ１０８が所定の速度で気流をもたらすように構成された空気発生器１２４２を含み、安定化力１１８が気流であることを除いて、搬送システム１００と実質的に類似している搬送システム１２００の別の例を示す。
【００４４】
図１３は、空気発生器１２４２がベルトの速度に等しい速度でベルトの進行方向に空気を強制することを除いて、搬送システム１２００と実質的に類似している搬送システム１３００の別の例を示す。任意選択で、カバー１３０２が設けられ、空気発生器１２４２は、カバー１３０２とベルトとの間に空気を強制する。
【００４５】
図１４は、搬送システム１４００がスタビライザ１０８の前にベルト上の材料を配向するのを促すカーテン１４０２をさらに含むことを除いて、搬送システム１００と実質的に類似している搬送システム１４００の別の例を示す。特定の例では、カーテン１４０２は、個別に吊り下げられたチェーン、ゴムのストリップ、ゴムのシート、及び／または跳ね返る材料をベルトに戻す方向付けに適した他の任意の物質またはデバイスを含むがこれらに限定されない、スタビライザ１０８の前にベルト上の材料を配向する様々なデバイスであり得る。
【００４６】
搬送システムのコンベヤベルト１０６上の材料を安定化する方法も開示されている。いくつかの例では、この方法は、コンベヤベルトの搬送面で材料を受領し、コンベヤベルトで、搬送速度で材料を搬送することを含む。この方法は、材料の少なくとも一部の垂直方向の移動が減衰及び／または最小化されるように、スタビライザ１０８を用いて材料に安定化力１１８を加えることを含む。特定の場合には、搬送面に対する材料の少なくとも一部の位置が搬送速度で維持される。
【００４７】
特定の例では、スタビライザ１０８は最初非作動の状態にあり、この方法は、搬送速度が高い搬送速度であるときにスタビライザ１０８を作動させることを含む。他の例では、この方法は、搬送速度が低い搬送速度または高い搬送速度であるときにスタビライザ１０８を作動させることを含む。
【００４８】
様々な例において、この方法は、安定化力１１８を制御することを含む。スタビライザ１０８が磁石であるいくつかの例において、方法は、磁場の強さ、磁場の周波数、または磁場の方向の少なくとも１つを制御することによって安定化力１１８を制御することを含む。特定の場合には、この方法は、安定化力１１８を加える前に、搬送面１０７上の材料の非鉄金属の位置を検出することを含む。様々な態様において、安定化力１１８を加えることは、安定化力１１８を搬送面１０７上の非鉄金属の位置において加えることを含む。
【００４９】
本明細書に記載の概念による様々な例示的なタイプの追加の説明をする「ＥＣ」（例示的な組み合わせ）として明示的に列挙される少なくともいくつかのものを含む例示的な選集例を後掲する。これらの例は、相互に排他的、網羅的、または制限的であることを意味するものではない。本発明は、これらの例示的な例に限定されず、発行された特許請求の範囲及びそれらの同等物の範囲内のすべての可能な修正及び変形を包含する。
【００５０】
ＥＣ１．搬送面を含むコンベヤベルトであって、前記搬送面上で材料を搬送するように適合された前記コンベヤベルト、及び前記コンベヤベルト上の前記材料に安定化力を加えるように構成されたスタビライザを含む搬送システム。
【００５１】
ＥＣ２．第１のローラ、及び前記第１のローラの下流にある第２のローラをさらに含み、前記コンベヤベルトが、前記第１のローラ及び前記第２のローラ上で移動可能に支持され、前記第２のローラは前記搬送システムの端部にある、先行または後続の例示的な組み合わせのいずれかの搬送システム。
【００５２】
ＥＣ３．前記第２のローラは、前記コンベヤベルト上の前記材料に磁場を印加するように構成された渦電流セパレータローラを含む、先行または後続の例示的な組み合わせのいずれかの搬送システム。
【００５３】
ＥＣ４．前記スタビライザは、前記安定化力が前記第２のローラで前記材料に加えられるように、前記第２のローラに隣接して設けられる、先行または後続の例示的な組み合わせのいずれかの搬送システム。
【００５４】
ＥＣ５．前記スタビライザは、前記安定化力が前記第２のローラの上流で前記材料に加えられるように、前記第２のローラの上流に設けられる、先行または後続の例示的な組み合わせのいずれかの搬送システム。
【００５５】
ＥＣ６．前記第１のローラ及び前記第２のローラは、前記コンベヤベルトを約１０ｍ／秒から約２０ｍ／秒の搬送速度で移動するように構成され、前記スタビライザが、前記材料が前記搬送速度で安定するように、前記コンベヤベルト上の前記材料に前記安定化力を加えるように構成される、先行または後続の例示的な組み合わせのいずれかの搬送システム。
【００５６】
ＥＣ７．前記スタビライザは、前記安定化力を前記材料の非鉄金属に加えるように構成される、先行または後続の例示的な組み合わせのいずれかの搬送システム。
【００５７】
ＥＣ８．前記スタビライザが、前記搬送面の上方に少なくとも１つの磁石を含み、前記少なくとも１つの磁石は、前記材料に前記安定化力として下向きの磁場を印加するように構成される、先行または後続の例示的な組み合わせのいずれかの搬送システム。
【００５８】
ＥＣ９．前記少なくとも１つの磁石が永久磁石であり、任意選択に、前記永久磁石は前記ベルトに対して垂直方向に調整可能であるか、前記永久磁石の回転速度は前記安定化力を調整するように調整可能である、先行または後続の例示的な組み合わせのいずれかの搬送システム。
【００５９】
ＥＣ１０．前記搬送ベルトが前記少なくとも１つの磁石と磁束ダイレクタとの間を通るように、前記搬送面の下方に前記磁束ダイレクタをさらに備える、先行または後続の例示的な組み合わせのいずれかの搬送システム。
【００６０】
ＥＣ１１．前記少なくとも１つの磁石が電磁石である、先行または後続の例示的な組み合わせのいずれかの搬送システム。
【００６１】
ＥＣ１２．前記電磁石が調整可能で、前記下向きの磁場が調整可能であるようにする、先行または後続の例示的な組み合わせのいずれかの搬送システム。
【００６２】
ＥＣ１３．前記下向きの磁場の強度、前記磁場の周波数、または前記搬送面に対する前記電磁石の中心軸の角度のうちの少なくとも１つが調整可能である、先行または後続の例示的な組み合わせのいずれかの搬送システム。
【００６３】
ＥＣ１４．前記少なくとも１つの磁石が複数の磁石を含む、先行または後続の例示的な組み合わせのいずれかの搬送システム。
【００６４】
ＥＣ１５．前記スタビライザが、前記複数の磁石の第１のサブセットを含む第１の領域と、前記複数の磁石の第２のサブセットを含む第２の領域とをさらに含み、前記第１のサブセットの前記磁石の少なくとも１つによって生成される前記磁場は、前記第２のサブセットの前記磁石の少なくとも１つによって生成される前記磁場とは異なる、先行または後続の例示的な組み合わせのいずれかの搬送システム。
【００６５】
ＥＣ１６．前記スタビライザは、トリガ領域及び安定化領域をさらに含み、前記少なくとも１つの磁石は、前記安定化領域にある、先行または後続の例示的な組み合わせのいずれかの搬送システム。
【００６６】
ＥＣ１７．それぞれの磁石が独立して制御可能である、先行または後続の例示的な組み合わせのいずれかの搬送システム。
【００６７】
ＥＣ１８．前記スタビライザの上流にあるセンサ、及びコントローラをさらに備え、前記センサは、前記搬送面上の前記材料の少なくとも１つの非鉄金属片の位置を検出するように構成され、前記コントローラは、前記搬送面上の前記位置に対応する前記複数の磁石のうちの少なくとも１つを作動させるように構成される、先行または後続の例示的な組み合わせのいずれかの搬送システム。
【００６８】
ＥＣ１９．前記スタビライザは、安定化領域に前記安定化力を加えるように構成され、前記安定化力は、前記安定化領域の上流部分における上流安定化力と、前記安定化領域の下流部分における下流安定化力とを含み、前記下流安定化力が前記上流安定化力とは異なる、先行または後続の例示的な組み合わせのいずれかの搬送システム。
【００６９】
ＥＣ２０．前記下流安定化力が前記上流安定化力よりも大きい、先行または後続の例示的な組み合わせのいずれかの搬送システム。
【００７０】
ＥＣ２１．前記コンベヤベルトの搬送速度に基づいて前記スタビライザを制御するように構成されるコントローラをさらに含む、先行または後続の例示的な組み合わせのいずれかの搬送システム。
【００７１】
ＥＣ２２．前記搬送面上の前記材料の少なくとも１つの非鉄金属片の位置を検出するように構成されたセンサをさらに備え、前記コントローラは、前記搬送面上の前記位置に基づいて前記スタビライザを制御するように構成されている、先行または後続の例示的な組み合わせのいずれかの搬送システム。
【００７２】
ＥＣ２３．前記スタビライザが、所定の気流のレベルで前記搬送面に所定の速度で気流をもたらすように構成された少なくとも１つの気流発生器を備える、先行または後続の例示的な組み合わせのいずれかの搬送システム。
【００７３】
ＥＣ２４．前記スタビライザが、前記搬送面の下方に少なくとも１つの電磁石、前記コンベヤベルトと前記少なくとも一つの電磁石の間の銅板を含み、前記少なくとも１つの電磁石は、前記銅板の上部と前記材料の非鉄片との間に引力が生じるように、銅板に一次磁場を印加するように構成される、先行または後続の例示的な組み合わせのいずれかの搬送システム。
【００７４】
ＥＣ２５．前記スタビライザは、安定化力を前記コンベヤベルト上の前記材料の非鉄金属に加え、前記非鉄金属は、搬送の間に前記材料の少なくとも一部の垂直移動が減衰及び／または最小化されるよう安定化されるように構成される、先行または後続の例示的な組み合わせのいずれかの搬送システム。
【００７５】
ＥＣ２６．前記コンベヤベルトの搬送面で前記材料を受領すること、前記コンベヤベルトで、搬送速度で前記材料を搬送すること、及び前記材料の少なくとも一部の垂直移動が前記搬送速度で減衰及び／または最小化されるように、スタビライザで前記材料に安定化力を加えることを含む、コンベヤベルト上の材料を安定化する方法。
【００７６】
ＥＣ２７．前記搬送速度が約１ｍ／秒から約２０ｍ／秒である、先行または後続の例示的な組み合わせのいずれかの方法。
【００７７】
ＥＣ２８．前記搬送速度が約１０ｍ／秒から約２０ｍ／秒である、先行または後続の例示的な組み合わせのいずれかの方法。
【００７８】
ＥＣ２９．前記材料の少なくとも一部が非鉄金属を含み、前記安定化力が前記非鉄金属に加えられる、先行または後続の例示的な組み合わせのいずれかの方法。
【００７９】
ＥＣ３０．前記スタビライザが少なくとも１つの磁石を含み、前記安定化力が磁場を含む、先行または後続の例示的な組み合わせのいずれかの方法。
【００８０】
ＥＣ３１．前記少なくとも１つの磁石が電磁石を含む、先行または後続の例示的な組み合わせのいずれかの方法。
【００８１】
ＥＣ３２．前記磁場の強さ、前記磁場の周波数、または前記磁場の方向のうちの少なくとも１つを制御することによって前記磁場を制御することをさらに含む、先行または後続の例示的な組み合わせのいずれかの方法。
【００８２】
ＥＣ３３．前記安定化力を加える前に、前記搬送面上の前記材料の非鉄金属の位置を検出することをさらに含む、先行または後続の例示的な組み合わせのいずれかの方法。
【００８３】
ＥＣ３４．前記安定化力を加えることは、前記搬送面上の前記位置に前記安定化力を加えることを含む、先行または後続の例示的な組み合わせのいずれかの方法。
【００８４】
ＥＣ３５．スタビライザが複数の磁石を含み、前記複数の磁石の第１のサブセットが第１の領域に配置され、前記複数の磁石の第２のサブセットが第２の領域に配置され、前記安定化力を加えることは、前記複数の磁石の前記第１のサブセットにより第１の磁場を印加することと、前記複数の磁石の前記第２のサブセットにより第２の磁場を印加することとを含み、前記第２の磁場は、前記第１の磁場とは異なる、先行または後続の例示的な組み合わせのいずれかの方法。
【００８５】
上記の態様は、単に実施態様の可能な例であり、本開示の原理を明確に理解するために記載されているにすぎない。本開示の精神及び原理から実質的に逸脱することなく、上記の実施形態（複数可）に対して多くの変形及び修正を行うことができる。そのようなすべての修正及び変形は、本開示の範囲内で、本明細書に含まれることが意図され、要素またはステップの個々の態様または組み合わせに対するすべての可能な特許請求は、本開示によって支持されることが意図されている。さらに、特定の用語が本明細書及び以下の特許請求の範囲で使用されているが、それらは一般的及び説明的な意味でのみ使用されており、記載された発明や以下の特許請求の範囲を限定する目的ではない。
【図１】
2021532037.tif 000003
【図２】
2021532037.tif 000004
【図３】
2021532037.tif 000005
【図４】
2021532037.tif 000006
【図５】
2021532037.tif 000007
【図６】
2021532037.tif 000008
【図７】
2021532037.tif 000009
【図８】
2021532037.tif 000010
【図９】
2021532037.tif 000011
【図１０】
2021532037.tif 000012
【図１１】
2021532037.tif 000013
【図１２】
2021532037.tif 000014
【図１３】
2021532037.tif 000015
【図１４】
2021532037.tif 000016
【国際調査報告】
2021532037.tif 000017
2021532037.tif 000018
2021532037.tif 000019